(57)【要約】【課題】利益付与率の設定変更に関する不正行為を十分に防止できる遊技機の提供を目的としている。【解決手段】本発明の遊技機１は、遊技機筐体３内に設けられた収納部５５に収納され、設定変更キーを用いて利益付与率を設定変更できる設定変更部５４と、収納部５５に設けられ、前記設定変更キーを挿入するためのキー挿入部５８と、キー挿入部５８を遮蔽する遮蔽カバー６３と、遮蔽カバー６３を収納部５５に対して固定して移動不可能にする固定手段６４，６８とを備えていることを特徴とする。【選択図】    図３
2005177353.tif 000002
【特許請求の範囲】
【請求項１】
遊技者に対する利益付与率を設定変更可能な遊技機において、
遊技機筐体内に設けられた収納部に収納され、設定変更キーを用いて前記利益付与率を設定変更できる設定変更部と、
前記収納部に設けられ、前記設定変更キーを挿入するためのキー挿入部と、
前記キー挿入部を遮蔽する遮蔽カバーと、
前記遮蔽カバーを前記収納部に対して固定して移動不可能にする固定手段と、
を備えていることを特徴とする遊技機。
【請求項２】
前記固定手段は、前記遮蔽カバーを通じて前記収納部に対して螺合されるネジ部材から成ることを特徴とする請求項１に記載の遊技機。
【請求項３】
前記ネジ部材には、手の指で操作可能な摘みが設けられていることを特徴とする請求項２に記載の遊技機。
【請求項４】
前記収納部に対する前記ネジ部材の螺合状態を解除した状態で、前記ネジ部材を前記遮蔽カバーに対して保持する保持手段を更に有していることを特徴とする請求項２または請求項３に記載の遊技機。
【請求項５】
前記ネジ部材は、前記遮蔽カバーに形成された貫通穴に対し所定の遊度をもって挿通されていることを特徴とする請求項２から請求項４のいずれか1項に記載の遊技機。
【発明の詳細な説明】
【技術分野】
【０００１】
本発明は、スロットマシン、パチンコ等に代表される遊技機に関する。
【背景技術】
【０００２】
従来、上記したような遊技機では、ドア（前面扉）を開閉して各種の作業が行なわれている。例えば、特許文献１に開示されているように、遊技機には、遊技者に対する利益付与率を設定変更できる設定変更装置が遊技機本体である筐体の内部に組み込まれたものがあり、こうした遊技機の場合、ドアを開放すれば、遊技店側は、経営戦略等によって適宜この利益付与率を設定変更する作業を行なうことができる。
【０００３】
通常、このような設定変更は、遊技店の担当者が営業時間以外に行なっており、各遊技機のドアを開き、予め定められた手順に従って操作している。例えば、スロットマシンでは、筐体内部に設置された設定変更装置に設定変更キーを差し込み、この設定変更キーを多段階に回転させることにより、特別遊技状態としてのビッグボーナス（ＢＢ）の当選確率（利益付与率）を複数段階で設定変更できるようにしている。
【特許文献１】特開２００３−２５０９５４号
【発明の開示】
【発明が解決しようとする課題】
【０００４】
このように、設定変更キーによって前記利益付与率を設定変更する構成では、例えば、筐体内に設けられた収納部に前記設定変更装置が収納されており、前記収納部に設けられたキー挿入部に設定変更キーを挿入することにより、キー操作を行なえるようになっている。また、この場合、前記キー挿入部には、これを遮蔽する遮蔽カバーが回動可能に取り付けられている。
【０００５】
ところで、ドアを開けずに、筐体の隙間から筐体内に針金等を差し込み、この針金等を前記キー挿入部に挿入して利益付与率の設定変更を不正に行なう行為は従来から知られているが、この不正行為に対して、前記遮蔽カバーは、ある一定の防止効果を与えるものの、不正行為が複雑且つ巧妙に行なわれれば、十分なものとは言えなくなる。すなわち、キー挿入部を遮蔽カバーによって遮蔽すれば、この遮蔽カバーを回動させなければキー挿入部に針金等を差し込むことができないため、針金等を用いた不正行為の作業において遮蔽カバーを回動させるという工程が１つ余分に必要となる分、不正行為を行ない難くなるという点では、遮蔽カバーがある一定の不正防止効果をもたらす。しかしながら、不正行為が複雑且つ巧妙に行なわれて、針金等を用いて遮蔽カバーが一旦回動されてしまった場合には、収納部の正面でキー挿入部が完全に露出し、キー挿入部に対して針金等を容易に差し込めるため、遮蔽カバーも何ら意味をなさなくなる。
【０００６】
このような不正行為は、遊技の公平性を著しく失わせるだけでなく、遊技店側にも大きな損害をもたらすため、確実に防止しなければならない行為である。
【０００７】
本発明は前記事情に着目してなされたものであり、その目的とするところは、利益付与率の設定変更に関する不正行為を十分に防止できる遊技機を提供することにある。
【課題を解決するための手段】
【０００８】
前記課題を解決するために、請求項１に記載された発明は、遊技者に対する利益付与率を設定変更可能な遊技機において、遊技機筐体内に設けられた収納部に収納され、設定変更キーを用いて前記利益付与率を設定変更できる設定変更部と、前記収納部に設けられ、前記設定変更キーを挿入するためのキー挿入部と、前記キー挿入部を遮蔽する遮蔽カバーと、前記遮蔽カバーを前記収納部に対して固定して移動不可能にする固定手段とを備えていることを特徴とする。
【０００９】
この請求項１に記載された発明によれば、前記キー挿入部を遮蔽する遮蔽カバーが前記収納部に対して固定されて移動不可能になっているため、ドアを開けて筐体内を開放しなければ、前記固定手段による固定を解除して遮蔽カバーによるキー挿入部の遮蔽を解除することは難しい。したがって、ドアを開けずに、筐体の隙間から筐体内に針金等を差し込んでも、この針金等によって前記固定手段の固定を解除することは難しく、ましてや、この針金等を前記キー挿入部に挿入して利益付与率の設定変更を行なうことなど実質的に不可能となる。すなわち、利益付与率の設定変更に関する不正行為を十分に防止でき、遊技の公平性を保つことができるとともに、遊技店側の利益が損なわれるといった事態も回避できる。
【００１０】
なお、ここで、「遊技者に対する利益付与率」とは、遊技者に対して利益を付与できる確率のことである。具体的には、例えばスロットマシンの場合、所定回数の有利な遊技を行なえる特別遊技状態（利益状態）の発生確率、すなわち、遊技者に相対的に大きい利益を与えるゲームが所定回数行えるビッグボーナスや、遊技者に相対的に小さい利益を与える遊技を所定ゲーム行えるレギュラーボーナスの発生確率のことである。また、「利益付与率の設定変更」とは、そうした利益付与率の設定値を遊技機に対して外的に設定変更することを言う。また、前記固定手段としては、前記遮蔽カバーを前記収納部に対して移動不可能に固定できるものであれば、ネジ、ラッチ、接着等、任意の周知の手段を採用できる。
【００１１】
また、請求項２に記載された発明は、請求項１に記載された発明において、前記固定手段は、前記遮蔽カバーを通じて前記収納部に対して螺合されるネジ部材から成ることを特徴とする。
【００１２】
この請求項２に記載された発明によれば、請求項１に記載された発明と同様の作用効果を得ることができるとともに、収納部に対して遮蔽カバーが締結されるため、遮蔽カバーの固定状態が強固となり、不正行為の防止を更に確実ならしめることができる一方、ドアを開放すれば、ネジ部材を外すだけで、遮蔽カバーによるキー挿入部の遮蔽状態を解除できるため、正当な利益付与率の設定変更作業を容易に行なうことができるという効果も得られる。
【００１３】
また、請求項３に記載された発明は、請求項２に記載された発明において、前記ネジ部材には、手の指で操作可能な摘みが設けられていることを特徴とする。
【００１４】
この請求項３に記載された発明によれば、請求項２に記載された発明と同様の作用効果を得ることができるとともに、手の指で操作可能な摘みがネジ部材に設けられているため、手の指でネジ部材を着脱でき、正当な利益付与率の設定変更作業を迅速且つ容易に行なうことができる。なお、摘みは、樹脂成形品をネジ部材に別途取り付けることによって形成されても良く、あるいは、指で摘める大径部をネジに一体成形することによって形成されても良い。
【００１５】
また、請求項４に記載された発明は、請求項２または請求項３に記載された発明において、前記収納部に対する前記ネジ部材の螺合状態を解除した状態で、前記ネジ部材を前記遮蔽カバーに対して保持する保持手段を更に有していることを特徴とする。
【００１６】
この請求項４に記載された発明によれば、請求項２または請求項３に記載された発明と同様の作用効果を得ることができるとともに、前記収納部に対する前記ネジ部材の螺合状態を解除した状態でも、前記ネジ部材と遮蔽カバーとが分離することなく一体を成すため、その後の取り扱いが容易になるとともに、これらの部品の紛失を防止できる他、遮蔽カバーによって再度キー挿入部を遮蔽する際にも、遮蔽カバーおよびネジ部材の２つの部品を別個に取り扱うことなく一体で取り扱うことができるため、遮蔽作業を簡単に行なうことができる。
【００１７】
また、請求項５に記載された発明は、請求項２から請求項４のいずれか1項に記載された発明において、前記ネジ部材は、前記遮蔽カバーに形成された貫通穴に対し所定の遊度をもって挿通されていることを特徴とする。
【００１８】
この請求項５に記載された発明によれば、請求項２から請求項４のいずれか1項に記載された発明と同様の作用効果を得ることができるとともに、ネジ部材に対して遮蔽カバーを前記遊度分だけ動かすことができるため、ネジ部材の移動範囲が規制されている場合でも、遮蔽カバーによるキー挿入部の遮蔽状態を完全に解除することが可能になる。
【発明の効果】
【００１９】
本発明に係る遊技機によれば、利益付与率の設定変更に関する不正行為を十分に防止できる。
【発明を実施するための最良の形態】
【００２０】
以下、図面を参照しながら、本発明の実施形態について詳細に説明する。
【００２１】
図１は、本発明の一実施形態に係る遊技機としてのスロットマシン１を示している。図示のように、スロットマシン１は、前面に開閉可能なドア（前面扉）２を有する筐体３を備えている。ドア２には、その前面のほぼ中央より上部に、パネル表示部２ａ、液晶表示部２ｂ及び固定表示部２ｃが設けられている。前面扉２の内部（液晶表示部２ｂ背面）には、３個の変動表示装置（ここでは、機械的に回転する３個の回転リールで構成されている；以下、リールと称する）３Ｌ，３Ｃ，３Ｒが回転自在に横一列に配設されており、これら各リール３Ｌ，３Ｃ，３Ｒの外周表面には、複数種類の図柄によって構成される図柄列が描かれている。各リール３Ｌ，３Ｃ，３Ｒに形成された図柄は、矩形の図柄表示領域２１Ｌ，２１Ｃ，２１Ｒを通して視認できるようになっており、各リール３Ｌ，３Ｃ，３Ｒは、定速回転（例えば、８０回転／分）可能に構成されている。
【００２２】
パネル表示部２ａ、液晶表示部（画像表示部）２ｂ、及び固定表示部２ｃの下方には、略水平面の台座部４が形成されている。この台座部４の左側には、押しボタン操作によりクレジットされているメダルを賭けるための最大ＢＥＴボタン５ｃが設けられており、その上方位置には、同様に１−ＢＥＴボタン５ａ及び２−ＢＥＴボタン５ｂが設けられている。また、台座部４の右側には、メダル投入口６が設けられており、また、台座部４の前面部左寄りには、遊技者がゲームで獲得したメダルのクレジット／払出しを押しボタン操作で切り換えるＣ／Ｐスイッチ７が設けられている。このＣ／Ｐスイッチ７の切り換えにより、正面下部のメダル払出し口８からメダルが払い出され、払い出されたメダルはメダル受け部９に溜められる。
【００２３】
Ｃ／Ｐスイッチ７の右側には、遊技者の操作によりリール３Ｌ，３Ｃ，３Ｒを回転させ、図柄表示領域２１Ｌ，２１Ｃ，２１Ｒ内での図柄の変動を開始（ゲームを開始）するためのスタートレバー１０が所定の角度範囲で回動自在に取り付けられている。また、台座部４の前面中央部で、スタートレバー１０の右側には、３個のリール３Ｌ，３Ｃ，３Ｒの回転をそれぞれ停止させるための３個のストップボタン１１Ｌ，１１Ｃ，１１Ｒが設けられている。
【００２４】
ドア２の上方の左右には、スピーカ１２Ｌ，１２Ｒが設けられ、その２台のスピーカ１２Ｌ，１２Ｒの問には、入賞図柄の組み合せ及びメダルの配当枚数等を表示する配当表パネル１３が設けられている。
【００２５】
上記したパネル表示部２ａは、ボーナス遊技情報表示部１６、ＢＥＴランプ１７ａ〜１７ｃ、払出表示部１８、及びクレジット表示部１９等によって構成される。ボーナス遊技情報表示部１６は、７セグメントＬＥＤから成り、ボーナスゲーム中の遊技情報を表示する。１−ＢＥＴランプ１７ａ、２−ＢＥＴランプ１７ｂ及び最大ＢＥＴランプ１７ｃは、ゲームを行なうために賭けられたメダルの数に応じて点灯するものであり、１−ＢＥＴランプ１７ａは、ＢＥＴ数が「１」の場合に点灯し、２−ＢＥＴランプ１７ｂは、ＢＥＴ数が「２」の場合に点灯し、最大ＢＥＴランプ１７ｃは、ＢＥＴ数が「３」の場合に点灯する。また、払出表示部１８及びクレジット表示部１９は、それぞれ７セグメントＬＥＤから構成されており、入賞成立時のメダルの払出枚数及び貯留(クレジット)されているメダルの枚数を表示する。なお、それ以外にも、例えば、遊技動作を表示するランプや、役物作動回数を表示する表示部等が設けられていても良い。
【００２６】
上記した液晶表示部２ｂは、図柄表示領域２１Ｌ，２１Ｃ，２１Ｒ、これらを囲むようにして設けられた窓枠表示領域２２Ｌ，２２Ｃ，２２Ｒ、及び演出表示領域２３を備えており、前記窓枠表示領域２２Ｌ，２２Ｃ，２２Ｒは、リール３Ｌ，３Ｃ，３Ｒ上に配置された図柄の表示窓の枠を表している。また、演出表示領域２３は、例えば、ボーナスの入賞成立を実現可能であることを確定的に報知する画像(いわゆる「ＷＩＮランプ」を表したもの)の表示、遊技の興趣を増大するための演出、遊技者が遊技を有利に進めるために必要な情報等の表示が行われる。
【００２７】
上記した固定表示部２ｃは、予め定めた画像を表示する領域であり、この固定表示部２ｃに表示された画像と、演出表示領域２３に表示された画像により一つの静止画像又は動画像を表示できるようになっている。
【００２８】
上記したように、本実施形態のスロットマシン１は、演出効果を高めるための画像表示装置を組み込んでおり、膨大な画像データに基づいて、画像表示装置における画像表示を制御すると共に、それに応じて複雑な効果音を発生するための音声データを制御する必要がある。このため、本実施形態では、遊技の進行を制御する制御手段を、もっぱら遊技処理動作を制御するためのメイン制御基板４０（図２参照）上に設けておき、それ以外の処理を制御する制御手段（画像表示制御や音声制御等）を、前記メイン制御基板４０とは分割され、メイン制御基板４０から各種のコマンドを受けて実行するサブ制御基板４２（図２参照）上に設けている。
【００２９】
図２に示されるように、リール３Ｌ，３Ｃ，３Ｒは、前面扉２の液晶表示部２ｂの裏側の筐体３の所定の空間Ｓに収容されている。また、リール３Ｌ，３Ｃ，３Ｒは、一体となってリールユニットを構成しており、このリールユニットの側部にサブ制御基板４２が設置されている。また、空間Ｓの上側には、基板収納ケース５３に収納された状態でメイン制御基板４０が設置されている。また、筐体３の一側には、外部集中端子板４４が取り付けられている。この外部集中端子板４４は、遊技メダル投入信号、遊技メダル払出信号、役物連続作動装置大当たり信号または役物連続作動増加装置大当たり信号等を、スロットマシン１の外部へ出力し、外部打ち止め解除信号を外部から入力する基板である。また、空間Ｓの下側には、遊技メダルを貯留して払い出すためのホッパ５０が設置され、ホッパ５０の下側には、遊技メダル払出カウンタスイッチ４６が設けられている。更に、筐体３の底部の他側には、電源部４８が設けられている。この電源部４８は、内部に電源基板を内蔵し、筐体３内に装着された部品に電力を供給する。
【００３０】
また、図３〜図５に示されるように、本実施形態のスロットマシン１は、遊技者に対する利益付与率、すなわち、所定回数の有利な遊技を行なえる特別遊技状態（利益状態）の発生確率、更に具体的には、遊技者に相対的に大きい利益を与えるゲームが所定回数行えるビッグボーナスや、遊技者に相対的に小さい利益を与える遊技を所定ゲーム行なえるレギュラーボーナスの発生確率を複数段階に設定するための設定スイッチ（設定変更部）５４を有している。このような設定スイッチ５４は、メイン制御基板４０を収納するための基板収納ケース５３の右端に隣接して設けられた収納ボックス（収納部）５５内に収納されており、設定スイッチ５４の前面に設けられた鍵穴５７に図示しない設定変更キーを差し込み、この設定変更キーを多段階に回転させることにより、利益付与率を複数段階で設定変更できるようになっている。
【００３１】
収納ボックス５５は、基板収納ケース５３の右端側に延設されたベース部５６に対して取り付けられており、筐体３の内面（筐体３の右側壁の内面）に隣接している。また、収納ボックス５５の内部には、設定スイッチ５４の上側に、基板収納ケース５３を施錠するための施錠装置５９が設けられている。
【００３２】
収納ボックス５５の前面には、設定スイッチ５４の前面に設けられた鍵穴５７が臨む第１の開口部（キー挿入部）５８と、施錠装置５９の前面に設けられた鍵穴６０（図では、キー７０が挿入されている）が臨む第２の開口部６１とが設けられている。
【００３３】
また、収納ボックス５５の前面には、第１の開口部５８を覆って閉鎖するための遮蔽カバー６３が設けられている。この遮蔽カバー６３は、例えば弾性を有するステンレス板材により形成されており、第１の開口部５８を覆って設定スイッチ５４の鍵穴５７に前記設定変更キーを差し込めないようにして、設定スイッチ５４の不正な操作を防止する。なお、遮蔽カバー６３は、透明な合成樹脂等の他の任意の材料によって形成されていても良い。
【００３４】
また、遮蔽カバー６３は、固定手段により、収納ボックス５５に対して移動できないように固定されている。本実施形態において、前記固定手段は、遮蔽カバー６３の上側部位を固定する例えば六角ビス６４と、遮蔽カバー６３の下側部位を固定する例えばネジ部材６８とから成る。六角ビス６４は、遮蔽カバー６３に形成された円形の第１の貫通穴６３ａを貫通して、収納ボックス５５の前面に形成されたビス穴６５に挿入される。一方、ネジ部材６８は、その外周面に雄ネジが形成されたネジ部７５と、ネジ部７５の手元側に設けられ且つその外径がネジ部７５の外径よりも大きい摘み部７３とから成り、遮蔽カバー６３に形成された長円形の第２の貫通穴６３ｂにネジ部７５を挿通するとともに、収納ボックス５５の前面に形成されたネジ穴６６にネジ部７５を螺合することにより、六角ビス６４と協働して遮蔽カバー６３を収納ボックス５５に対して移動不可能に固定する。なお、ネジ部材６８の前記摘み部７３は、手の指で操作可能な形状および寸法に設定されており、ネジ部７５と一体で形成されていても良いが、本実施形態では、樹脂材によりネジ部７５と別体で形成されている。また、ネジ部材６８のネジ部７５の外径は、長円形の第２の貫通穴６３ｂの内径（長径および短径）よりも小さく設定されており、第２の貫通穴６３ｂに対し所定の遊度をもって挿通されている。
【００３５】
また、ネジ部材６８は、保持手段としてのナット６７により、遮蔽カバー６３に対して保持されている。ナット６７は、多角形状（本実施形態では、六角形状）を成し且つ遮蔽カバー６３の長円形の第２の貫通穴６３ｂよりも大きな外径を有する大径部６７ａと、遮蔽カバー６３の第２の貫通穴６３ｂよりも小さな外径を有する円筒状の小径部６７ｂとから成り、遮蔽カバー６３の背面（収納ボックス５５の前面と対向して接触する面）側から第２の貫通穴６３ｂ内に小径部６７ｂを挿入した状態でネジ部材６８のネジ部７５と螺合することにより、ネジ部材６８を遮蔽カバー６３に対して保持する。
【００３６】
したがって、以上のような構成において、利益付与率を設定変更する場合には、ドア２を開放して、ネジ部材６８の摘み部７３を指で摘んで回転させ、ネジ部材６８のネジ部７５と収納ボックス５５のネジ穴６６との螺合状態を解除する。この状態では、六角ビス６４を中心に遮蔽カバー６３を収納ボックス５５に対して回動でき、キー挿入部としての第１の開口部５８を露出させることができる（図６の（ａ）参照）。また、この場合、ネジ部材６８は、ナット６７により遮蔽カバー６３に保持されているため、遮蔽カバー６３と一体で回動できる（ネジ部材６８は、遮蔽カバー６３を回動させるための操作部材として機能する；図６参照）。
【００３７】
なお、本実施形態では、収納ボックス５５が筐体３の右側壁の内面に隣接して設けられている構成上、ネジ部材６８を用いて遮蔽カバー６３を右側に回動させた際に、ネジ部材６８が筐体３に突き当り、第１の開口部５８を十分に露出させることができない場合も考えられるが、その場合には、ネジ部材６８のネジ部７５が第２の貫通穴６３ｂに対し所定の遊度をもって挿通されていることから、筐体３に突き当ったネジ部材６８を第２の貫通穴６３ｂ内で移動させることにより筐体３から若干離間させ、その分だけ遮蔽カバー６３を更に右側に回動させれば、第１の開口部５８を十分に露出させることが可能になる。
【００３８】
六角ビス６４を中心に遮蔽カバー６３を回動させて第１の開口部５８を露出させたら、第１の開口部５８を通じて、設定スイッチ５４の前面に設けられた鍵穴５７に設定変更キーを差し込み、この設定変更キーを多段階に回転させることにより、利益付与率を複数段階で設定変更する。
【００３９】
設定変更が完了したら、再び遮蔽カバー６３によって第１の開口部５８を遮蔽するとともに、ネジ部材６８の摘み部７３を指で摘んで回転させ、ネジ部材６８のネジ部７５と収納ボックス５５のネジ穴６６とを螺合させる（図４および図５の状態）。
【００４０】
以上説明したように、本実施形態のスロットマシン１は、キー挿入部としての第１の開口部５８を遮蔽する遮蔽カバー６３と、遮蔽カバー６３を収納ボックス５５に対して固定して移動不可能にする固定手段６４，６８とを備えている。そのため、ドア２を開けて筐体３内を開放しなければ、固定手段６４，６８による固定を解除して遮蔽カバー６３による第１の開口部５８の遮蔽を解除することは難しい。したがって、ドア２を開けずに、筐体３の隙間から筐体３内に針金等を差し込んでも、この針金等によって固定手段６４，６８の固定を解除することは難しく、ましてや、この針金等を第１の開口部５８に挿入して利益付与率の設定変更を行なうことなど実質的に不可能となる。すなわち、本実施形態の構成によれば、利益付与率の設定変更に関する不正行為を十分に防止でき、遊技の公平性を保つことができるとともに、遊技店側の利益が損なわれるといった事態も回避できる。
【００４１】
また、本実施形態のスロットマシン１において、前記固定手段は、遮蔽カバー６３を通じて収納ボックス５５に対して螺合されるネジ部材６８から成り、収納ボックス５５に対して遮蔽カバー６３が締結される。そのため、遮蔽カバー６３の固定状態が強固となり、不正行為の防止を更に確実ならしめることができる一方、ドア２を開放すれば、ネジ部材６８を外すだけ（本実施形態では、ネジ穴６６に対するネジ部材６８のネジ部７５の螺合状態を解除するだけ）で、遮蔽カバー６３による第１の開口部５８の遮蔽状態を解除できるため、正当な利益付与率の設定変更作業を容易に行なうことができる。
【００４２】
また、本実施形態のスロットマシン１において、ネジ部材６８には、手の指で操作可能な摘み７３が設けられている。そのため、手の指で簡単にネジ穴６６に対してネジ部材６８を着脱でき、正当な利益付与率の設定変更作業を迅速且つ容易に行なうことができる。
【００４３】
また、本実施形態のスロットマシン１においては、収納ボックス５５に対するネジ部材６８の螺合状態を解除した状態で、ネジ部材６８を遮蔽カバー６３に対して保持する保持手段としてのナット６７が設けられている。そのため、収納ボックス５５に対するネジ部材６８の螺合状態を解除した状態でも、ネジ部材６８と遮蔽カバー６３とが分離することなく一体を成すため、その後の取り扱いが容易になるとともに、これらの部品の紛失を防止できる他、遮蔽カバー６３によって再度第１の開口部５８を遮蔽する際にも、遮蔽カバー６３およびネジ部材６８の２つの部品を別個に取り扱うことなく一体で取り扱うことができるため、遮蔽作業を簡単に行なうことができる。
【００４４】
また、本実施形態のスロットマシン１において、ネジ部材６８は、遮蔽カバー６３に形成された貫通穴６３ｂに対し所定の遊度をもって挿通されている。そのため、ネジ部材６８に対して遮蔽カバー６３を前記遊度分だけ動かすことができ、ネジ部材６８の移動範囲が規制されている場合でも、遮蔽カバー６３による第１の開口部５８の遮蔽状態を完全に解除することが可能になる。
【産業上の利用可能性】
【００４５】
本発明は、スロットマシン以外にも、遊技に関する設定値を変更できる各種の遊技機に適用することが可能である。
【図面の簡単な説明】
【００４６】
【図１】本発明に係る遊技機の一例を示す図であり、スロットマシンの一構成例を示す斜視図である。
【図２】筐体内部の概略構成図である。
【図３】利益付与率を設定変更するための設定変更部およびその周辺装置を示す斜視図である。
【図４】図３の設定変更部およびその周辺装置の正面図である。
【図５】図３の設定変更部およびその周辺装置の側面図である。
【図６】（ａ）は遮蔽カバーを回動させて第１の開口部を露出させた状態を示す正面図、（ｂ）は（ａ）のＡ方向矢視図である。
【符号の説明】
【００４７】
１  スロットマシン（遊技機）
３  筐体
５４  設定スイッチ（設定変更部）
５５  収納ボックス（収納部）
５８  第１の開口部（キー挿入部）
６４  六角ビス（固定手段）
６８  ネジ部材（固定手段）
【図１】
2005177353.tif 000003
【図２】
2005177353.tif 000004
【図３】
2005177353.tif 000005
【図４】
2005177353.tif 000006
【図５】
2005177353.tif 000007
【図６】
2005177353.tif 000008